(57)【要約】【課題】製作にかかるコスト及び手間を削減することができる硬貨計数機を提供する。【解決手段】硬貨計数機１００は、硬貨計数機本体３０と、硬貨計数機本体３０に設けられるベース板２２と、ベース板２２に設けられ、硬貨が供給されるホッパ２１と、硬貨計数機本体３０に設けられ、硬貨が貯留される一時貯留部１１と、ベース板２２に形成され、一時貯留部１１に連通する硬貨貯留口２８と、ホッパ２１から排出されて硬貨貯留口２８へ搬送される硬貨が流通する硬貨搬送路２７と、硬貨搬送路２７に設けられ、通過する硬貨の数を計数する計数センサ２９とを備え、硬貨搬送路２７はベース板２２に一体的に形成される。【選択図】図３
2017059145.tif 000002
【特許請求の範囲】
【請求項１】
硬貨計数機本体と、
前記硬貨計数機本体に設けられるベース部材と、
前記ベース部材に設けられ、硬貨が供給されるホッパと、
前記硬貨計数機本体に設けられ、前記硬貨が貯留される硬貨貯留部と、
前記ベース板に形成され、前記硬貨貯留部に連通する硬貨貯留口と、
前記ホッパから排出されて前記硬貨貯留口へ搬送される前記硬貨が流通する硬貨搬送路と、
前記硬貨搬送路に設けられ、通過する前記硬貨の数を計数する硬貨数量検知器とを備え、
前記硬貨搬送路は前記ベース部材に一体的に形成される硬貨計数機。  
【請求項２】
前記硬貨搬送路にはメッキ処理が施される請求項１に記載の硬貨計数機。
【請求項３】
前記硬貨搬送路の前記メッキ処理は、硬質クロムメッキによるメッキ処理である請求項２に記載の硬貨計数機。
【請求項４】
前記硬貨搬送路には、鏡面仕上げが施される請求項１〜３のいずれか一項に記載の硬貨計数機。
【発明の詳細な説明】
【技術分野】
【０００１】
この発明は、硬貨計数機に関する。
【背景技術】
【０００２】
硬貨を計数した後に貯留する機械として一般的に、特許文献１に示すような硬貨計数機が知られている。特許文献１の硬貨計数機では、円筒形状のホッパ部に硬貨が投入され、硬貨計数通路に硬貨が送り出される。そして、硬貨は硬貨計数通路を搬送ベルトによって搬送され、シュート部へ送り込まれ、シュート部の下に取り付けられた箱に貯留される。硬貨計数通路は、ベース板に取り付けられた通路底板の上に設けられている。
【先行技術文献】
【特許文献】
【０００３】
【特許文献１】特開平８−４４９２４号公報
【発明の概要】
【発明が解決しようとする課題】
【０００４】
特許文献１に示すような従来の硬貨計数機の通路底板は、一般的に、図５に示すような複数の滑走板１２７が組み合わされて形成されている。また、図５の硬貨計数機では、滑走板１２７の各々の下に複数の高さ調整用のシムプレート１３０が敷かれている。各々の滑走板１２７には加工公差が存在するため、滑走板１２７同士の境目で硬貨の流れが停滞してしまう可能性がある。よって、硬貨の停滞を防止するため、図６に示されるように、矢印の方向に向かって硬貨が流通する場合、上流から下流に行くに従って上面の高さが徐々に低くなるように、シムプレート１３０によって調整されている。
【０００５】
しかしながら、硬貨計数経路が複数の滑走板１２７からなる通路底板に設けられていることにより、滑走板１２７の枚数やシムプレート１３０の個数の分だけ、全体の部品点数が多くなってしまっていた。そのため、硬貨計数機の製作コストが高くなってしまうという問題があった。また、シムプレート１３０によって、滑走板１２７の一枚一枚を高さ調整する必要があるため、その分、製作に手間がかかるという問題もあった。
【０００６】
この発明は、このような問題を解決するためになされ、製作にかかるコスト及び手間を削減することができる硬貨計数機を提供することを目的とする。
【課題を解決するための手段】
【０００７】
上記の課題を解決するために、この発明に係る硬貨計数機は、硬貨計数機本体と、硬貨計数機本体に設けられるベース部材と、ベース部材に設けられ、硬貨が供給されるホッパと、硬貨計数機本体に設けられ、硬貨が貯留される硬貨貯留部と、ベース板に形成され、硬貨貯留部に連通する硬貨貯留口と、ホッパから排出されて硬貨貯留口へ搬送される硬貨が流通する硬貨搬送路と、硬貨搬送路に設けられ、通過する硬貨の数を計数する硬貨数量検知器とを備え、硬貨搬送路はベース部材に一体的に形成される。
これによって、ベース部材上を硬貨が円滑に流通することができる。
【０００８】
この発明に係る硬貨計数機の硬貨搬送路にはメッキ処理が施されてもよく、このメッキ処理は、硬質クロムメッキによるメッキ処理であってもよい。
さらに、硬貨搬送路には鏡面仕上げが施されてもよい。
【発明の効果】
【０００９】
この発明に係る硬貨計数機によれば、部品点数を少なくし、製造コストを抑えることができる。
【図面の簡単な説明】
【００１０】
【図１】この発明の実施の形態１に係る硬貨計数機を示す分解斜視図である。
【図２】図１に示す硬貨計数機の硬貨計数部のベース板の構造を示す斜視図である。
【図３】図２に示す硬貨計数部のベース板に硬貨搬送ベルト、硬貨規制ガイド等の部品を取り付けた状態を示す斜視図である。
【図４】この発明の別の実施の形態に係る硬貨計数機の硬貨搬送路の形状を模式的に示す断面図である。
【図５】従来の例に係る硬貨計数機の硬貨計数部の一部の構造を示す斜視図である。
【図６】従来の例に係る硬貨計数機の硬貨計数部の滑走板同士の高さの関係を模式的に表す断面側面図である。
【発明を実施するための形態】
【００１１】
以下、この発明の実施の形態について添付図面に基づいて説明する。
図１を用いて、硬貨計数機１００の全体構成について説明する。
硬貨計数機１００の硬貨計数機本体３０は、硬貨が収納されるための硬貨収納ユニット１０と、硬貨収納ユニット１０の上に設けられ、硬貨を計数するための硬貨計数部２０とを有する。
硬貨収納ユニット１０は、高さ方向において上から順次、上段部１０ａ、中段部１０ｂ及び下段部１０ｃの三段の部分に分かれている。硬貨収納ユニット１０の上段部１０ａには、上面が開放された箱体である一時貯留部１１と、上面が開放された略直方体形状の箱体であるリジェクトボックス１２とが設けられる。さらに、中段部１０ｂには、上面が開放された略直方体形状の箱体である硬貨回収ボックス１３が設けられる。また、下段部１０ｃには、略直方体形状の箱体である硬貨収納金庫１４が設けられる。
ここで、一時貯留部１１は、硬貨貯留部を構成する。
【００１２】
次に、図１〜３を参照して、硬貨計数部２０の構造を説明する。
硬貨計数部２０は、四辺が下面側に折れ曲がった略長方形状の板状部材であるベース板２２を有する。ベース板２２は、ステンレス鋼によって形成されている。また、ベース板２２には、長手方向の一端部に近い位置に略円筒形状のホッパ２１が取り付けられる。ホッパ２１の内部には、回転盤２１ａが回転可能に設けられている。また、ホッパ２１の側壁の一部には、出口２１ｂが形成される。さらに、図２に示すように、ベース板２２の長手方向の他端に近い位置には略方形状の硬貨貯留口２８が形成されている。なお、硬貨貯留口２８の下には、硬貨収納ユニット１０の一時貯留部１１が配置される。そして、ホッパ２１の出口２１ｂと硬貨貯留口２８との間には、硬貨搬送路２７がベース板２２に直接的かつ一体的に形成される。ここで、硬貨搬送路２７とは、ホッパ２１から排出されて硬貨貯留口２８に搬送される硬貨が流通する経路であり、流通する硬貨の表裏のいずれかの面が接触する領域である。また、硬貨搬送路２７と硬貨搬送路２７の周辺の箇所の硬質コーティング処理領域ＣＰには、硬質クロムメッキによるメッキ処理が行われた上に、バフ研磨によって鏡面仕上げが施される。
【００１３】
図３に示すように、ベース板２２の硬貨搬送路２７の上には、硬貨搬送ユニット２３が取り付けられる。硬貨搬送ユニット２３は、細長い略直方体形状の搬送ベルトアーム２３ａと、搬送ベルトアーム２３ａに取り付けられる硬貨搬送ベルト２３ｂとを有する。硬貨搬送ベルト２３ｂは、図２の矢印の方向に向かって硬貨を搬送する。従って、硬貨搬送ユニット２３のホッパ２１寄りの方向を上流側とし、硬貨が搬送されていく方向を下流側とする。
【００１４】
そして、図２に示すように、硬貨搬送路２７の上流側寄りの部分には、硬貨鑑別部２４が設けられる。硬貨鑑別部２４は、ベース板２２に設けられた磁気センサと硬貨の外径等を検知するセンサとで構成されている。また、硬貨鑑別部２４の下流側には光センサである計数センサ２９が設けられている。計数センサ２９は、ベース板２２の硬貨搬送路２７に設けられる発光部２９ａと、硬貨搬送路２７の上方かつ発光部２９に対向する位置に配置される受光部２９ｂとを有する。そして、計数センサ２９の発光部２９ａから受光部２９ｂに向かって発せられる光が、硬貨搬送路２７を通過する硬貨によって遮られることにより、計数センサ２９は、通過した硬貨の数を検知することができる。
ここで、計数センサ２９は硬貨数量検知器を構成する。
【００１５】
また、図２に示すように、硬貨搬送路２７において、硬貨鑑別部２４の下流側かつ計数センサ２９の上流側には、硬貨の搬送方向を長手方向とする略長方形状のリジェクト孔２６が形成される。リジェクト孔２６の短手方向の幅は硬貨の直径よりも小さい。なお、リジェクト孔２６の下には、硬貨収納ユニット１０のリジェクトボックス１２が配置される。さらに、図３に示すように、硬貨搬送路２７に一定の間隔を置いて隣り合うとともに、硬貨の搬送方向においてリジェクト孔２６に対応する位置には、リジェクト装置２５が設けられている。
なお、硬貨鑑別部２４と、計数センサ２９と、リジェクト装置２５とは、それぞれ図示しない制御装置に電気的に接続する。
【００１６】
次に、硬貨計数機１００の動作について説明する。
まず、計数対象の硬貨をホッパ２１に供給する。そして、硬貨計数機本体３０の電源を入れると、ホッパ２１の回転盤２１ａが回転駆動されるとともに、硬貨搬送ユニット２３の硬貨搬送ベルト２３ｂが駆動を開始する。ホッパ２１の内部の硬貨は、回転盤２１ａの回転の遠心力によってホッパ２１の出口２１ｂから１枚ずつ排出され、硬貨搬送ユニット２３の硬貨搬送ベルト２３ｂに受け渡される。そして、硬貨は硬貨搬送ベルト２３ｂにより、硬貨搬送通路１７の上を硬貨貯留口２８に向かって搬送される。
【００１７】
硬貨が搬送される過程では、まず硬貨鑑別部２４を通過する硬貨は、硬貨鑑別部２４のセンサによって金種を鑑別される。そして、偽造硬貨や外国の硬貨等が検出された場合、硬貨はリジェクト装置２５の動作によってリジェクト孔２６からリジェクトボックス１２に落下させられる。一方、通常の硬貨はリジェクト孔２６の上を通過した後、計数センサ２９によって計数され、その後、硬貨貯留口２８から硬貨収納ユニット１０の一時貯留部１１に落下し、貯留される。そして、ホッパ２１内に供給された全ての硬貨のうち、リジェクト孔２６に落下せずに計数センサ２９によって計数されたものは、一時貯留部１１に貯留された後、使用者によって下段部１０ｃの硬貨収納金庫１４に移され、保管される。一方、硬貨の計数中にエラーが発生してしまった場合は、機械は停止し、リセットスイッチ押下後に一時貯留部１１がスライドして、一時貯留部１１の内部の硬貨を中段部１０ｂの硬貨回収ボックス１３に落下させる。そして、使用者は、硬貨回収ボックス１３内に貯留された硬貨を、再びホッパ２１に供給し、硬貨計数機１００による計数をやり直す。
【００１８】
以上より、この実施の形態に係る硬貨計数機では、硬貨搬送路２７がベース板２２に一体的に形成されていることにより、滑走板や滑走板の高さを調整するシムプレート等の部品が不要となり、製作のコストを削減することができる。また、シムプレートによって各々の滑走板の高さを調整する作業が不要となり、製作の手間も削減することができる。また、複数の滑走板を組み合わせて硬貨搬送路を形成する必要がないため、硬貨が滑走板と滑走板との境目に引っかかってしまうおそれがなく、硬貨をよりスムーズに搬送することができる。
【００１９】
また、硬貨搬送路２７は硬質クロムメッキによりメッキ処理を施されているため、耐摩耗性が向上する。
さらに、硬貨搬送路２７は鏡面仕上げを施されるので、硬貨搬送路２７の表面は滑らかになり、硬貨はよりスムーズに硬貨搬送路２７の上を流通することができる。
【００２０】
なお、この実施の形態において、硬貨搬送路２７はベース板２２の上面に直接、平面的に設けられるが、これに限定されない。具体的には、図４の断面図に示すように、両側面に壁２７ａ’を持ち、底面２７ｂ’が平らな溝２７’がベース板２２の上面に形成され、このような溝２７’を硬貨搬送路として、硬貨Ｃが流通してもよい。
【符号の説明】
【００２１】
１１  一時貯留部（硬貨貯留部）、２１  ホッパ、２２  ベース板（ベース部材）、２７，２７’  硬貨搬送路、２８  硬貨貯留口、２９  計数センサ（硬貨数量検知器）、１００  硬貨計数機。
【図１】
2017059145.tif 000003
【図２】
2017059145.tif 000004
【図３】
2017059145.tif 000005
【図４】
2017059145.tif 000006
【図５】
2017059145.tif 000007
【図６】
2017059145.tif 000008